(57)【要約】【課題】  身体を洗う際、泡立ちの良好性を確保して石鹸を効率的に使いきることができ、また、身体洗い用シートの袋状物に、身体を洗う目的に適った挿入物を着脱自在に選択して挿入することができ、且つ背中を楽に洗うことができる。【解決手段】  柔軟性のある素材でつくった帯状の身体洗い用シート１にあって、任意の箇所に１個若しくは複数個の袋状物３を設け、該袋状物３の両脇に襞部２を具備させ、また、該袋状物３の開口部４に開閉手段を具備させ、さらに、身体洗い用シート１の両端部に手持ちシート部５を設けた身体洗い用シート１を提供する。【選択図】  図１
0003117258.tif 000002
【実用新案登録請求の範囲】
【請求項１】
柔軟性のある素材でつくった帯状の身体洗い用シートにあって、任意の箇所に1個若しくは複数個の袋状物を設け、該袋状物の両脇に襞部を具備することを特徴とする身体洗い用シート。
【請求項２】
前記袋状物は、その開口部に開閉手段を具備し、該袋状物に、石鹸、又は美容効果のあるトルマリンや薬草、又は身体洗い具の軽石やタワシの中から１種若しくは２種以上を選択挿入でき、該袋状物へ挿入する挿入物は身体を洗う目的に応じて着脱自在となることを特徴とする請求項１記載の身体洗い用シート。
【請求項３】
前記身体洗い用シートの両端部に手持ちシート部を設けることを特徴とする請求項１又は請求項２記載の身体洗い用シート。
【考案の詳細な説明】
【技術分野】
【０００１】
本考案は、入浴時の身体洗い用シートに関するものである。
【背景技術】
【０００２】
従来の身体洗い用シートは、帯状の布状物に石鹸挿入用の袋状物を設けたものがある。（例えば、特許文献１参照。）また、上下２枚の異なった繊維からなり、上下の繊維部分に石鹸又は軽石を挿入する袋状物を設けているものがある。（例えば、特許文献２参照。）
【特許文献１】特開平１１−１６４７９０
【特許文献２】特開平８−１１７１４２
【考案の開示】
【考案が解決しようとする課題】
【０００３】
従来の身体洗い用シートは、石鹸を挿入した面が他面より身体に接触する割合が高くなり、石鹸の減りが早く、また、シートが身体に接触する面が少なくなり、満遍なく身体全体を洗うためには不便となる。本考案は、袋状物の両脇に襞部を具備することにより前記の欠点を解決しようとするものである。
【０００４】
また、身体洗い用シートの両端部を持って背中を擦ることができるだけでは石鹸をつけて洗う際には滑りやすく、指かけをつける場合は素材によっては身体を洗う際に邪魔になることがある。本考案は、身体洗い用シートの両端部の手持ちシート部を長くすることにより前記の欠点を解決しようとするものである。
【課題を解決するための手段】
【０００５】
本考案は、柔軟性のある素材でつくった帯状の身体洗い用シートの任意の箇所に１個若しくは複数個の袋状物を設け、該袋状物に、石鹸、又は美容効果のあるトルマリンや薬草等、又は身体洗い具の軽石やタワシ等を着脱自在とし、石鹸を挿入した際の石鹸の使用量を効率的に抑え、また、身体全体を満遍なく洗うことができるように袋状物の両脇に襞部を具備することにより上記の課題を解決している。
【０００６】
また、本考案は、柔軟性のある素材でつくった帯状の身体洗い用シートであり、滑らず握りやすくするために、該身体洗い用シートの両端部にそれぞれ手持ちシート部を具備させることにより上記の課題を解決している。
【考案の効果】
【０００７】
以上の説明から明らかなように、本考案は柔軟性のある素材でつくった帯状の身体洗い用シートの任意の箇所に設けた１個若しくは複数個の袋状物に、身体を洗う目的に応じて、石鹸、又は美容効果のあるトルマリンや薬草等、又は身体洗い具の軽石やタワシ等の中から選択して挿入し、それらの挿入物を着脱自在として使うことが可能となり、また、該袋状物の両脇に襞部を具備することにより、該袋状物に石鹸を挿入する際には少量での泡立ち性に優れ、石鹸の使用量を効率的に抑えて石鹸を使いきることができより経済的となる。さらに、該袋状物に挿入した挿入物の保持力を高めることもできるようになる。
【０００８】
また、本考案は柔軟性のある素材でつくった帯状の身体洗い用シートであり、該身体洗い用シートの両端部にそれぞれ使用者が容易に結び目をつくれる長さの手持ちシート部を、又は手に巻きつけることが可能な長さの手持ちシート部を具備することによって、滑らず
握りやすくなり、また、手の届きにくい箇所まで容易に洗うことができるようになる。
【考案を実施するための最良の形態】
【０００９】
本考案の一実施例を添付図面に基づいて説明する。図１は本考案の身体洗い用シートの斜視図である。本考案は、柔軟性のある素材でつくった帯状の身体洗い用シート１であり、例えば、タオル地のような帯状シート１ａ、帯状シート１ｂの上下の部分からなり、該帯状シートの長さは滑らず握りやすくするために使用者がシートの両端部に容易に結び目をつくれる長さの手持ちシート部５を、又は手に巻きつけることが可能な長さの手持ちシート部５を有する。任意の箇所に複数個の襞部２をつくり、該襞部を縫い合わせることで袋状物３ができる。身体洗い用シート１は１枚のシートを半分に折り曲げて使用する場合と別々のシートを使用する場合がある。１枚のシートを使用する場合は別々のシートを使用する場合より縫製が簡単になる。
【００１０】
袋状物３には、身体を洗う目的に応じて、石鹸、又は美容効果のあるトルマリンや薬草等、又は身体洗い具の軽石やタワシ等を挿入することが可能であり、該袋状物３の両脇に襞部２を具備させることによって挿入物の保持を高めることができる。また、襞部２は帯状シート１ａ側と帯状シート１ｂ側の両方ではなくどちらか一方に具備させた場合でも前記挿入物を保持することは可能である。さらに、該袋状物３の開口部４に具備させた開閉手段は、該袋状物３に挿入する上記挿入物を着脱自在としたものであり、図１に示す箇所に限定するものではなく、上下左右の任意の箇所に設けることもできる。
【００１１】
図2は本考案の使用状態の一例を示す袋状物部分の拡大斜視図である。袋状物３に石鹸６を挿入した際の拡大斜視図であり、石鹸６の挿入時に袋状物３の両脇に具備した襞部２が袋状物３よりも少し高くなるようにすることによって、少量での泡立ち性に優れ、石鹸６の使用量を効率的に抑えて石鹸６を使いきることができより経済的となる。さらに、身体洗い用シート１の身体接触面を減らすことなく身体をより効率的に洗うことができるようになる。
【００１２】
図３は本考案の他の使用状態の一例を示す袋状物部分の拡大斜視図である。袋状物３にトルマリン７を挿入した際の拡大斜視図であり、トルマリン７を挿入することで、マイナスイオン効果を得ることが可能となる。このように本考案は使用者が袋状物３に身体を洗う目的に応じて、挿入物を選択し、それらの挿入物を着脱自在として使うことが可能となる。また、袋状物３が複数個設けられた際にはそれぞれに別のものを挿入することもできる。
【図面の簡単な説明】
【００１３】
【図１】本考案の身体洗い用シートの斜視図である。
【図２】本考案の使用状態の一例を示す袋状物部分の拡大斜視図である。
【図３】本考案の他の使用状態の一例を示す袋状物部分の拡大斜視図である。
【符号の説明】
【００１４】
１    身体洗い用シート
１ａ  柔軟性のある素材でつくった帯状シート
１ｂ  柔軟性のある素材でつくった帯状シート
２    襞部
３    袋状物
４    開口部
５    手持ちシート部
６    石鹸
７    トルマリン
【図１】
0003117258.tif 000003
【図２】
0003117258.tif 000004
【図３】
0003117258.tif 000005